(57)【要約】    【課題】      発言権の公平な提供と遅延時間の短縮とを両立させることができる、グループ通信における発言権を提供するための装置及びその方法を提供すること。    【解決手段】  メモリ４０３は、放送チャネル開放時の開放時刻を記憶する。また、送受信部４０１は、放送チャネル開放後の最初の発言権取得要求を受信する。また、制御部４０２は、放送チャネル開放時から最初の発言権取得要求の受信時までの時間の長さに応じて、発言権提供の公平性の度合を変更する。  【選択図】      図１
2007006424.tif 000002
【特許請求の範囲】
【請求項１】
放送チャネル開放時の開放時刻を記憶する記憶手段と、
放送チャネル開放後の最初の発言権取得要求を受信する受信手段と、
放送チャネル開放時から最初の発言権取得要求の受信時までの時間の長さに応じて、発言権提供の公平性の度合を変更する変更手段と、
を具備することを特徴とするグループ通信における発言権を提供する装置。
【請求項２】
放送チャネル開放時に時間窓を開き、時間窓満了後に前記受信手段によって受信された最初の発言権取得要求を送信した通信端末に発言権を提供することを決定する決定手段、
を更に具備することを特徴とする請求項１記載のグループ通信における発言権を提供する装置。
【請求項３】
前記決定手段は、
発言権取得要求受付拒否のための時間窓を開く、
ことを特徴とする請求項２記載のグループ通信における発言権を提供する装置。
【請求項４】
前記決定手段は、
発言権取得要求の送信禁止時間を設定する、
ことを特徴とする請求項３記載のグループ通信における発言権を提供する装置。
【請求項５】
放送チャネル開放時の開放時刻を記憶する記憶ステップと、
放送チャネル開放後の最初の発言権取得要求を受信する受信ステップと、
放送チャネル開放時から最初の発言権取得要求の受信時までの時間の長さに応じて、発言権提供の公平性の度合を変更する変更ステップと、
を具備することを特徴とするグループ通信における発言権を提供する方法。
【発明の詳細な説明】
【技術分野】
【０００１】
本発明は、グループ通信における発言権を提供する装置及びその方法に関する。
【背景技術】
【０００２】
プッシュツートークに代表されるグループ通信では、一般に、片方向通信（例えば、トランシーバーなど）が一対一又は一対多で行われる。グループ通信に参加するユーザは、通信端末を用いて、グループ通信における発言権を得たい旨を示す信号（即ち、発言権取得要求）を管理装置に送信する。
【０００３】
グループ通信における発言権を提供する装置としての管理装置は、グループ通信の制御情報などを管理する。また、管理装置は放送チャネルが開放されてから最も早く受信された発言権取得要求の送信に用いられた通信端末に対して発言権を提供する。
【０００４】
ところで、グループ通信は、信号遅延を生じるネットワークを介して行われる。このため、発言権取得要求が送信されるときには必ず信号遅延が発生する。また、発言権取得要求送信時に発生する信号遅延の大きさは、その送信に使用される通信端末によって異なる。したがって、信号遅延の比較的小さな通信端末に対して集中的に発言権が提供され、信号遅延の比較的大きな通信端末に対して発言権が提供される機会が少なくなる場合がある。
【０００５】
このような場合に対処するための手法としては、例えば、特許文献１に記載されたものがある。この文献に記載された手法では、一定時間を有する時間窓が、最初の発言権取得要求が受信されたときに常に開かれ、この一定時間内に受信された全ての発言権取得要求が、同時に受信されたものとして扱われる。
【特許文献１】特表２００２−５４０６８７号公報
【発明の開示】
【発明が解決しようとする課題】
【０００６】
しかしながら、上記の従来手法においては、一定時間を有する時間窓が、最初の発言権取得要求が受信されたときに常に開かれる。この場合、発言権が提供される通信端末が、時間窓が開かれてから時間窓が閉じられるまで決定されないため、時間窓による遅延時間の発生が不可避となる。よって、発言権の公平な提供と遅延時間の短縮とを両立させることができないという問題があった。
【０００７】
本発明は、かかる点に鑑みてなされたものであり、発言権の公平な提供と遅延時間の短縮とを両立させることができる、グループ通信における発言権を提供する装置及びその方法を提供することを目的とする。
【課題を解決するための手段】
【０００８】
本発明のグループ通信における発言権を提供する装置は、放送チャネル開放時の開放時刻を記憶する記憶手段と、放送チャネル開放後の最初の発言権取得要求を受信する受信手段と、放送チャネル開放時から最初の発言権取得要求の受信時までの時間の長さに応じて、発言権提供の公平性の度合を変更する変更手段と、を具備する構成を採る。
【０００９】
この構成によれば、放送チャネル開放時から最初の発言権取得要求の受信時までの時間の長さに応じて、発言権提供の公平性の度合を変更するため、発言権提供の公平性を保つ必要性の度合に応じて時間窓による遅延時間を変化させ、グループ通信における発言権の公平な提供と遅延時間の短縮とを両立させることができる。
【００１０】
本発明のグループ通信における発言権を提供する装置は、上記構成において、放送チャネル開放時に時間窓を開き、時間窓満了後に前記受信手段によって受信された最初の発言権取得要求を送信した通信端末に発言権を提供することを決定する決定手段、を更に具備する構成を採る。
【００１１】
この構成によれば、放送チャネル開放時に時間窓を開くため、放送チャネル開放後に受信された最初の発言権取得要求の受信時刻を記憶せずに時間窓を開くことができる。そして、時間窓内に受信された発言権取得要求をすべて同時に受信された発言権取得要求として扱って評価し、その発言権取得要求を送信した通信端末の中から発言権が提供される通信端末を決定する。また、時間窓満了後に最初に受信された発言権取得要求を送信した通信端末に対し、新たな時間窓を開くことなく発言権提供の情報を送信する。これによって、グループ通信における発言権の公平な提供と遅延時間の短縮とを両立させることができる。
【００１２】
本発明のグループ通信における発言権を提供する装置は、上記構成において、前記決定手段は、発言権取得要求受付拒否のための時間窓を開く、構成を採る。
【００１３】
この構成によれば、放送チャネル開放時に発言権取得要求受付拒否のための時間窓を開くため、放送チャネル開放後に受信された最初の発言権取得要求の受信時刻を記憶せずにその時間窓を開くことができる。そして、その時間窓内に受信された発言権取得要求を記憶せず、その発言権取得要求を送信した通信端末に発言権取得要求受付拒否のメッセージを送信し、その通信端末に発言権を提供しない。また、その時間窓満了後に受信された最初の発言権取得要求を送信した通信端末に、他の発言権取得要求を待つことなく、発言権提供の情報を送信する。これによって、グループ通信における発言権の公平な提供と遅延時間の短縮とを両立させることができる。
【００１４】
本発明のグループ通信における発言権を提供する装置は、上記構成において、前記決定手段は、発言権取得要求の送信禁止時間を設定する、構成を採る。
【００１５】
この構成によれば、発言権取得要求の送信禁止時間を設定するため、通信端末に発言権取得要求の送信禁止時間内に管理装置に発言権取得要求を送信しないようにし、その時間窓内に受信された発言権取得要求を送信した通信端末に対する不要な発言権取得要求受付拒否のメッセージの送信を減らすことができる。
【００１６】
本発明のグループ通信における発言権を提供する方法は、放送チャネル開放時の開放時刻を記憶する記憶ステップと、放送チャネル開放後の最初の発言権取得要求を受信する受信ステップと、放送チャネル開放時から最初の発言権取得要求の受信時までの時間の長さに応じて、発言権提供の公平性の度合を変更する変更ステップと、を具備するようにした。
【００１７】
この方法によれば、放送チャネル開放時から最初の発言権取得要求の受信時までの時間の長さに応じて、発言権提供の公平性の度合を変更するため、発言権提供の公平性を保つ必要性の度合に応じて時間窓による遅延時間を変化させ、グループ通信における発言権の公平な提供と遅延時間の短縮とを両立させることができる。
【発明の効果】
【００１８】
本発明によれば、発言権の公平な提供と遅延時間の短縮とを両立させることができる。
【発明を実施するための最良の形態】
【００１９】
本発明の骨子は、放送チャネル開放時から最初の発言権取得要求の受信時までの時間の長さに応じて、発言権提供の公平性の度合を変更することである。
【００２０】
以下、本発明の実施の形態について、図面を用いて詳細に説明する。
【００２１】
（実施の形態１）
図１は、本発明の実施の形態１に係るグループ通信システムを示す構成図である。図１に示すクループ通信システムは、携帯無線機１００、携帯無線機２００、無線交換網３００及び管理装置４００を有する。また、以下では、携帯無線機１００及び携帯無線機２００を使用するユーザをそれぞれ第１ユーザ及び第２ユーザとし、クループ通信においてはこれら以外のユーザも含まれているものとする。
【００２２】
携帯無線機１００は、アンテナ１０１、無線部１０２、制御部１０３、キー操作部１０４及び音声入出力部１０５を有する。無線部１０２は、それぞれ図示されない送信部及び受信部を有し、無線送受信機能を果たす。無線部１０２は、例えば、キー操作部１０４から得られた発言権取得要求をアンテナ１０１を介して送信し、また、管理装置４００の送受信部４０１から送信された発言権提供の情報をアンテナ１０１を介して受信する。制御部１０３は、例えば、キー操作部１０４から得られた情報をもとに、無線部１０２へ発言権取得要求を送信する指示を行う。キー操作部１０４は、第１ユーザが携帯無線機１００に各種情報を入力したり指示入力を行ったりするために使用される。音声入出力部１０５は、第１ユーザがグループ通信における他のユーザ、例えば、第２ユーザに対して発言するとき、及び第２ユーザの発言を聞くときに使用される。
【００２３】
携帯無線機２００は、携帯無線機１００と同様に、前述したアンテナ１０１、無線部１０２、制御部１０３、キー操作部１０４及び音声入出力部１０５を有する。ただし、キー操作部１０４は、第２ユーザが携帯無線機２００に各種情報を入力したり指示入力を行ったりするために使用される。音声入出力部１０５は、第２ユーザがグループ通信における他のユーザ、例えば、第１ユーザに対して発言するとき、及び第１ユーザの発言を聞くときに使用される。
【００２４】
無線交換網３００は、アンテナ３０１、無線部３０２及び制御部３０３を有する。無線部３０２は、アンテナ３０１を介してグループ通信における携帯無線機、例えば、携帯無線機１００及び携帯無線機２００と無線通信を行う。また、無線部３０２は、制御部３０３を介して管理装置４００の送受信部４０１とデータの送受信を行う。制御部３０３は、無線交換網３００の動作を統括制御し、且つ、管理装置４００と接続されており、無線部３０２と管理装置４００の送受信部４０１との間でのデータの送受信を中継する。
【００２５】
管理装置４００は、グループ通信における発言権を提供する装置としての役割を有する。管理装置４００は、送受信部４０１、制御部４０２、メモリ４０３及びタイマー４０４を有する。送受信部４０１は、無線交換網３００を介してグループ通信における携帯無線機、例えば、携帯無線機１００及び携帯無線機２００と情報の送受信を行う。変更手段及び決定手段としての制御部４０２は、管理装置４００を統括制御する。制御部４０２は、例えば、メモリ４０３に保持されている情報に応じて時間窓を開く時間を決定し、更に、それに基づいて、グループ通信における携帯無線機、例えば、携帯無線機１００及び携帯無線機２００から受信した発言権取得要求を評価し、発言権が提供される携帯無線機を決定する。メモリ４０３は、放送チャネル開放時の開放時刻及び送受信部４０１を介して入力された情報、例えば、最初の発言権取得要求の受信時刻を保持する。タイマー４０４は、制御部４０２からの指示に従って、制御部４０２が決定した間に時間窓を開き続けるのに使用される。
【００２６】
以下、図２に示すシーケンス図を用いて携帯無線機１００、携帯無線機２００及び管理装置４００の動作の一例を説明する。
【００２７】
まず、管理装置４００では、制御部４０２によって放送チャネルが開放される（Ｓ２００１）。放送チャネルが開放されると、送受信部４０１は、放送チャネルが開放された情報を無線交換網３００を介してグループ通信における携帯無線機、例えば、携帯無線機１００及び携帯無線機２００にそれぞれ送信する。
【００２８】
そこで、管理装置４００では、放送チャネル開放時に、放送チャネル開放時の開放時刻（Ｔa）が取得される（Ｓ２００２）。Ｔaは、放送用チャネル開放時にメモリ４０３に保持される。
【００２９】
次に、グループ通信における携帯無線機、例えば、携帯無線機１００がアンテナ１０１及び無線交換網３００を介して管理装置４００に発言権取得要求を送信する（Ｓ２００３）。
【００３０】
そこで、管理装置４００では、グループ通信における携帯無線機、例えば、携帯無線機１００から送信された発言権取得要求が送受信部４０１によって無線交換網３００を介して最初の発言権取得要求として受信される（Ｓ２００４）。
【００３１】
そして、管理装置４００では、最初の発言権取得要求の受信時に、その発言権取得要求の受信時刻（Ｔb）を含む制御情報も取得され、メモリ４０３に保持される（Ｓ２００５）。また、管理装置４００では、制御部４０２は、メモリ４０３に保持されているＴaとＴbによりＴaからＴbまでの経過時間（Ｔ１）を算出する。
【００３２】
次に、管理装置４００では、Ｔ１に応じて時間窓を開く時間（Ｔ２）、即ちタイマー起動時間も制御部４０２により決定される（Ｓ２００６）。ここで、制御部４０２により、放送チャネル開放時から最初の発言権取得要求の受信時までの時間Ｔ１が短いときには発言権提供の公平性を保つ必要性の度合が高いと判断され、発言権提供の公平性の度合を高めるために、最初の発言権取得要求受信時からの時間窓を開く時間Ｔ２を長くする。また、放送チャネル開放時から最初の発言権取得要求の受信時までの時間Ｔ１が長いときには発言権提供の公平性を保つ必要性の度合が低いと判断され、発言権提供の公平性の度合を低め、遅延時間を減少するために、最初の発言権取得要求受信時からの時間窓を開く時間Ｔ２を短くする。
【００３３】
また、管理装置４００では、タイマー４０４が制御部４０２からの指示に従って起動され（Ｓ２００７）、時間窓が開かれる。タイマー４０４は、制御部４０２により決定された時間Ｔ２の間に時間窓を開き続ける。
【００３４】
次に、グループ通信における携帯無線機、例えば、携帯無線機２００がアンテナ１０１及び無線交換網３００を介して管理装置４００に発言権取得要求を送信する（Ｓ２００８）。
【００３５】
そして、管理装置４００では、グループ通信における携帯無線機、例えば、携帯無線機２００から送信された発言権取得要求が、送受信部４０１によって無線交換網３００を介して受信される。その受信された発言権取得要求は、既に受信されたグループ通信における他の携帯無線機、例えば、携帯無線機１００からの発言権取得要求とは別の発言権取得要求としてメモリ４０３に保持される（Ｓ２００９）。
【００３６】
次に、管理装置４００のタイマー４０４は、時間窓が開かれてからの経過時間を所定の時間Ｔ２と比較し、経過時間がＴ２と等しいときにタイマー４０４が満了したことと決定する（Ｓ２０１０）。
【００３７】
そして、管理装置４００の制御部４０２は、メモリ４０３により記憶されている情報に基づいて、時間窓内に受信された発言権取得要求をすべて同時に受信された発言権取得要求として扱って評価する（Ｓ２０１１）。また、制御部４０２によって、その時間窓内に受信された発言権取得要求を送信したグループ通信における携帯無線機の中から発言権が提供される携帯無線機が決定される。これによって、一定度合の発言権提供の公平性が保たれる。
【００３８】
そこで、管理装置４００では、制御部４０２により時間窓内に受信された発言権取得要求の１つに対応するグループ通信における携帯無線機、例えば、携帯無線機２００に発言権提供の情報を送信することが決定される（Ｓ２０１２）。
【００３９】
そして、グループ通信における携帯無線機、例えば、携帯無線機２００は、管理装置４００の送受信部４０１から送信される発言権提供の情報を無線交換網３００及びアンテナ１０１を介して受信する（Ｓ２０１３）。その発言権提供の情報を受信した携帯無線機２００は、第２ユーザの発言により音声入出力部１０５を介して入力された情報をアンテナ１０１及び無線交換網３００を介してグループ通信における他の携帯無線機、例えば携帯無線機１００に送信する。また、そのグループ通信における他の携帯無線機、例えば、携帯無線機１００は、携帯無線機２００から送信された情報をアンテナ１０１を介して受信し、受信された情報を音声入出力部１０５を介して第１ユーザが聞けるように出力する。
【００４０】
以下、図３に示すフロー図を用いて管理装置４００の動作の一例を説明する。
【００４１】
まず、制御部４０２により放送チャネルが開放される（Ｓ３００１）。放送チャネルが開放されると、送受信部４０１は、放送チャネルが開放された情報を無線交換網３００を介してグループ通信における携帯無線機、例えば、携帯無線機１００及び携帯無線機２００にそれぞれ送信する。
【００４２】
そこで、メモリ４０３は、放送チャネル開放時に、放送チャネル開放時の開放時刻Ｔaを取得し、保持する（Ｓ３００２）。
【００４３】
そして、送受信部４０１は、無線交換網３００を介して最初に受信される発言権取得要求を待つ（Ｓ３００３）。その発言権取得要求は、グループ通信における携帯無線機、例えば、携帯無線機１００又は携帯無線機２００からアンテナ１０１を介して送信される。
【００４４】
次に、送受信部４０１は、グループ通信における携帯無線機、例えば、携帯無線機１００からの発言権取得要求を無線交換網３００を介して最初の発言権取得要求として受信する（Ｓ３００４）。
【００４５】
そこで、メモリ４０３は、最初の発言権取得要求の受信時に、その受信時刻Ｔbを含む制御情報を取得し、保持する（Ｓ３００５）。
【００４６】
次に、制御部４０２は、ＴaからＴbまでの経過時間Ｔ１に応じて時間窓を開く時間Ｔ２、即ちタイマー起動時間を決定し（Ｓ３００６）、タイマー４０４に対して決定されたＴ２の間に時間窓を開く指示を行う。ここで制御部４０２は、放送チャネル開放時から最初の発言権取得要求の受信時までの時間Ｔ１が短いときには発言権提供の公平性を保つ必要性の度合が高いと判断し、発言権提供の公平性の度合を高めるために、最初の発言権取得要求受信時からの時間窓を開く時間Ｔ２を長くする。また、放送チャネル開放時から最初の発言権取得要求の受信時までの時間Ｔ１が長いときには発言権提供の公平性を保つ必要性の度合が低いと判断し、発言権提供の公平性の度合を低め、遅延時間を減少するために、最初の発言権取得要求受信時からの時間窓を開く時間Ｔ２を短くする。
【００４７】
そして、タイマー４０４は、制御部４０２からの指示に従って起動し（Ｓ３００７）、制御部４０２により決定された時間Ｔ２の間に時間窓を開き続ける。
【００４８】
次に、制御部４０２は、Ｔ２の間にグループ通信における他の携帯無線機、例えば携帯無線機２００からの発言権取得要求があるか否かを判断する（Ｓ３００８）。
【００４９】
そこで、制御部４０２により、Ｔ２の間にグループ通信における他の携帯無線機、例えば、携帯無線機２００からの発言権取得要求があったと判断された場合（Ｓ３００８：ＹＥＳ）、メモリ４０３は、その発言権取得要求を記憶し、保持する（Ｓ３００９）。一方、制御部４０２により、Ｔ２の間にグループ通信における他の携帯無線機からの発言権取得要求がなかったと判断された場合（Ｓ３００８：ＮＯ）、ステップＳ３０１０に進む。
【００５０】
次に、タイマー４０４は、時間窓が開かれてからの経過時間を所定の時間Ｔ２と比較し、経過時間がＴ２と等しいときにタイマー４０４が満了したことと決定する（Ｓ３０１０）。
【００５１】
そこで、制御部４０２は、メモリ４０３により記憶されている情報に基づいて、時間窓内に受信された発言権取得要求をすべて同時に受信された発言権取得要求として扱って評価する（Ｓ３０１１）。また、制御部４０２は、その時間窓内に受信された発言権取得要求を送信したグループ通信における携帯無線機の中から発言権が提供される携帯無線機を決定する。これによって、一定度合の発言権提供の公平性が保たれる。
【００５２】
次に、制御部４０２は、時間窓内に受信された発言権取得要求の１つに対応するグループ通信における携帯無線機、例えば、携帯無線機２００に発言権提供の情報を送信することを決定する（Ｓ３０１２）。
【００５３】
そして、送受信部４０１は、無線交換網３００を介してグループ通信における携帯無線機、例えば、携帯無線機２００に発言権提供の情報を送信する（Ｓ３０１３）。
【００５４】
このように、本発明の形態によれば、放送チャネル開放時から最初の発言権取得要求の受信時までの時間の長さに応じて、発言権提供の公平性の度合を変更するために、時間窓による遅延時間を変更する。即ち、制御部４０２は、放送チャネル開放時から最初の発言権取得要求の受信時までの時間Ｔ１が短いときには発言権提供の公平性を保つ必要性の度合が高いと判断し、発言権提供の公平性の度合を高めるために、最初の発言権取得要求受信時からの時間窓を開く時間Ｔ２を長くする。また、放送チャネル開放時から最初の発言権取得要求の受信時までの時間Ｔ１が長いときには発言権提供の公平性を保つ必要性の度合が低いと判断し、発言権提供の公平性の度合を低め、遅延時間を減少するために、最初の発言権取得要求受信時からの時間窓を開く時間Ｔ２を短くする。これによって、グループ通信における発言権の公平な提供と遅延時間の短縮とを両立させることができる。
【００５５】
（実施の形態２）
図４は、本発明の実施の形態２に係る携帯無線機１００、携帯無線機２００及び管理装置４００の動作の一例を示すシーケンス図であり、図５は、携帯無線機１００及び管理装置４００の動作の他の例を示すシーケンス図である。なお、図４は、時間窓内にグループ通信における携帯無線機、例えば、携帯無線機１００及び携帯無線機２００からの発言権取得要求の受信があった場合の携帯無線機１００、携帯無線機２００及び管理装置４００の動作の一例を示すシーケンス図であり、図５は、時間窓内にグループ通信における携帯無線機からの発言権取得要求の受信がなかった場合の携帯無線機１００及び管理装置４００の動作の他の例を示すシーケンス図である。そして、図６は、本発明の実施の形態２に係る管理装置４００の動作の一例を示すフロー図である。なお、本発明の実施の形態２のクループ通信システムを示す構成図については、実施の形態１で説明したもの（図１）と同様であるので省略する。また、本発明の実施の形態２で説明する構成要素及びステップのうち実施の形態１で説明したものについては、同一の参照番号を付し、その詳細な説明を省略する。
【００５６】
以下、図４に示すシーケンス図を用いて携帯無線機１００、携帯無線機２００及び管理装置４００の動作の一例を説明する。
【００５７】
まず、ステップＳ２００１に続いて、ステップ４００１に進む。管理装置４００では、タイマー４０４は、放送チャネル開放時と同時に制御部４０２からの指示に従って起動され（Ｓ４００１）、時間窓が開かれる。タイマー４０４は、制御部４０２により決定された時間（Ｔ３）の間に時間窓を開き続ける。このとき、Ｔ３は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定される。
【００５８】
そして、ステップＳ２００３に続いて、ステップＳ４００２に進む。管理装置４００では、グループ通信における携帯無線機、例えば、携帯無線機１００から送信された発言権取得要求が送受信部４０１によって無線交換網３００を介して受信される（Ｓ４００２）。このとき、管理装置４００では、受信された発言権取得要求がメモリ４０３に保持される。しかし、ここでは最初の発言権取得要求の受信時刻の情報を保持する必要はない。
【００５９】
次に、ステップＳ２００８及びステップＳ２００９に続いて、ステップ４００３に進む。管理装置４００のタイマー４０４は、時間窓が開かれてからの経過時間を所定の時間Ｔ３と比較し、経過時間がＴ３と等しいときにタイマー４０４が満了したことと決定する（Ｓ４００３）。
【００６０】
そして、ステップＳ２０１１に進む。また、制御部４０２によって、時間窓が開かれている間Ｔ３に受信された発言権を送信したグループ通信における携帯無線機の中から発言権が提供される携帯無線機が決定される。これによって、一定度合の発言権提供の公平性が保たれる。
【００６１】
次に、ステップＳ２０１２に続いて、ステップＳ２０１３に進む。
【００６２】
以下、図５に示すシーケンス図を用いて携帯無線機１００及び管理装置４００の動作の他の例を説明する。
【００６３】
まず、ステップＳ２００１及びステップＳ４００１に続いて、ステップＳ４００３に進む。このとき、管理装置４００の送受信部４０１は、時間窓が開かれている間Ｔ３にグループ通信における携帯無線機からの発言権取得要求が受信されていない。
【００６４】
次に、ステップＳ２００３に続いて、ステップＳ５００１に進む。管理装置４００では、グループ通信における携帯無線機、例えば、携帯無線機１００から送信された発言権取得要求が送受信部４０１によって無線交換網３００を介して最初に受信される（Ｓ５００１）。ここで、制御部４０２は、グループ通信における携帯無線機、例えば、携帯無線機１００を発言権が提供される携帯無線機に決定する。このように、管理装置４００では、送受信部４０１が、時間窓内にグループ通信における携帯無線機からの発言権取得要求が受信されなかった場合、時間窓満了後に最初に受信された発言権取得要求を送信したグループ通信における携帯無線機、例えば、携帯無線機１００に発言権提供の情報を送信する。即ち、制御部４０２は、放送チャネル開放時から最初の発言権取得要求の受信時までの時間Ｔ１がＴ３より大きいときには、発言権提供の公平性を保つ必要性の度合が低いと判断し、発言権提供の公平性の度合を低め、遅延時間を減少するために、新たな時間窓を開くことなく、時間窓満了後に最初に受信された発言権取得要求を送信したグループ通信における携帯無線機に発言権提供の情報を送信する。
【００６５】
そして、グループ通信における携帯無線機、例えば、携帯無線機１００は、管理装置４００の送受信部４０１から送信される発言権提供の情報を無線交換網３００及びアンテナ１０１を介して受信する（Ｓ５００２）。その発言権提供の情報を受信した携帯無線機１００は、第１ユーザの発言により音声入出力部１０５を介して入力された情報をアンテナ１０１及び無線交換網３００を介してグループ通信における他の携帯無線機、例えば携帯無線機２００に送信する。また、そのグループ通信における他の携帯無線機、例えば、携帯無線機２００は、携帯無線機１００から送信された情報をアンテナ１０１を介して受信し、受信された情報を音声入出力部１０５を介して第２ユーザが聞けるように出力する。
【００６６】
以下、図６に示すフロー図を用いて管理装置４００の動作の一例を説明する。
【００６７】
まず、ステップＳ３００１に続いて、ステップＳ６００１に進む。タイマー４０４は、放送チャネル開放時と同時に、制御部４０２からの指示に従って起動し（Ｓ６００１）、制御部４０２により決定された時間Ｔ３の間に時間窓を開き続ける。このとき、Ｔ３は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定される。
【００６８】
そこで、制御部４０２は、Ｔ３の間にグループ通信における携帯無線機、例えば、携帯無線機１００及び携帯無線機２００からの発言権取得要求があるか否かを判断する（Ｓ６００２）。
【００６９】
そこで、制御部４０２により、Ｔ３の間にグループ通信における携帯無線機、例えば、携帯無線機２００からの発言権取得要求があったと判断された場合（Ｓ６００２：ＹＥＳ）、メモリ４０３は、その発言権取得要求を記憶し、保持する（Ｓ６００３）。しかし、ここでは最初の発言権取得要求の受信時刻の情報を記憶、保持する必要はない。一方、制御部４０２により、Ｔ３の間にグループ通信における他の携帯無線機からの発言権取得要求がなかったと判断された場合（Ｓ６００２：ＮＯ）、ステップＳ６００４に進む。
【００７０】
次に、タイマー４０４は、時間窓が開かれてからの経過時間を所定の時間Ｔ３と比較し、経過時間がＴ３と等しいときにタイマー４０４が満了したことと決定する（Ｓ６００４）。
【００７１】
そして、制御部４０２は、メモリ４０３に保持してある情報により、Ｔ３の間にグループ通信における携帯無線機、例えば携帯無線機１００及び携帯無線機２００からの発言権取得要求があったか否かを判断する（Ｓ６００５）。
【００７２】
そこで、制御部４０２は、Ｔ３の間にグループ通信における携帯無線機、例えば、携帯無線機１００及び携帯無線機２００からの発言権取得要求があったと判断した場合（Ｓ６００５：ＹＥＳ）、ステップＳ３０１１に進む。また、制御部４０２は、その時間窓内に受信された発言権を送信したグループ通信における携帯無線機の中から発言権が提供される携帯無線機を決定する。これによって、一定度合の発言権提供の公平性が保たれる。
【００７３】
そして、ステップＳ３０１２に続いて、ステップＳ３０１３に進む。
【００７４】
また、ステップＳ６００５で、制御部４０２は、Ｔ３の間にグループ通信における携帯無線機からの発言権取得要求がなかったと判断した場合（Ｓ６００５：ＮＯ）、グループ通信における携帯無線機、例えば、携帯無線機１００又は携帯無線機２００から送信される発言権取得要求の受信を待つ（Ｓ６００６）。
【００７５】
そこで、送受信部４０１が、グループ通信における携帯無線機、例えば、携帯無線機２００から送信された発言権取得要求を最初に受信した場合（Ｓ６００７）、制御部４０２は、その受信した発言権取得要求を送信したグループ通信における携帯無線機、例えば、携帯無線機２００を発言権が提供される携帯無線機と決定する。このように、送受信部４０１は、時間窓内にグループ通信における携帯無線機からの発言権取得要求が受信されなかった場合、時間窓満了後に最初に受信された発言権取得要求を送信したグループ通信における携帯無線機、例えば、携帯無線機２００に発言権提供の情報を送信する。即ち、制御部４０２は、放送チャネル開放時から最初の発言権取得要求の受信時までの時間Ｔ１がＴ３より大きいときには、発言権提供の公平性を保つ必要性の度合が低いと判断し、発言権提供の公平性の度合を低め、遅延時間を減少するために、新たな時間窓を開くことなく、時間窓満了後に最初に受信された発言権取得要求を送信したグループ通信における携帯無線機に発言権提供の情報を送信する。
【００７６】
次に、ステップＳ３０１３に進む。
【００７７】
このように、本発明の形態によれば、放送チャネル開放時に時間窓が開かれるため、実施の形態１のように放送チャネル開放後に受信された最初の発言権取得要求の受信時刻を記憶しない。また、その時間窓を開き続ける時間Ｔ３は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定する。そして、時間窓内に受信された発言権取得要求があった場合、その発言権取得要求は、制御部４０２によってすべて同時に受信された発言権取得要求として扱って評価され、その発言権取得要求を送信したグループ通信における携帯無線機の中から発言権が提供される携帯無線機が決定される。これによって、一定度合の発言権提供の公平性が保たれる。また、時間窓内に受信された発言権取得要求がなかった場合、即ち、放送チャネル開放時から最初の発言権取得要求の受信時までの時間Ｔ１がＴ３より大きいときには、制御部４０２は、発言権提供の公平性を保つ必要性の度合が低いと判断し、発言権提供の公平性の度合を低め、遅延時間を減少するために、新たな時間窓を開くことなく、時間窓満了後に最初に受信された発言権取得要求を送信したグループ通信における携帯無線機に発言権提供の情報を送信する。これによって、グループ通信における発言権の公平な提供と遅延時間の短縮とを両立させることができる。
【００７８】
（実施の形態３）
図７は、本発明の実施の形態３に係る携帯無線機１００、携帯無線機２００及び管理装置４００の動作の一例を示すシーケンス図であり、図８は、本発明の実施の形態３に係る管理装置４００の動作の一例を示すフロー図である。なお、本発明の実施の形態３のクループ通信システムを示す構成図については、実施の形態１で説明したもの（図１）と同様であるので省略する。また、本発明の実施の形態３で説明する構成要素及びステップのうち実施の形態１で説明したものについては、同一の参照番号を付し、その詳細な説明を省略する。
【００７９】
以下、図７に示すシーケンス図を用いて携帯無線機１００、携帯無線機２００及び管理装置４００の動作の一例を説明する。
【００８０】
まず、ステップＳ２００１に続いて、ステップ７００１に進む。管理装置４００では、タイマー４０４は、放送チャネル開放時と同時に制御部４０２からの指示に従って起動され（Ｓ７００１）、時間窓が開かれる。タイマー４０４は、制御部４０２により決定された時間（Ｔ４）の間に発言権取得要求受付拒否のための時間窓を開き続ける。このとき、Ｔ４は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定される。
【００８１】
そして、ステップＳ２００３に続いて、ステップＳ７００２に進む。管理装置４００では、グループ通信における携帯無線機、例えば、携帯無線機１００から送信された発言権取得要求が送受信部４０１によって無線交換網３００を介して受信される（Ｓ７００２）。しかし、このとき、管理装置４００では、受信された発言権取得要求がメモリ４０３に保持されない。
【００８２】
次に、管理装置４００では、送受信部４０１は、発言権取得要求受付拒否のための時間窓内に受信された発言権取得要求を送信したグループ通信における携帯無線機、例えば、携帯無線機１００に対し、無線交換網３００を介して発言権取得要求受付拒否のメッセージを送信し（Ｓ７００３）、その携帯無線機１００に発言権を提供しない。これによって、一定度合の発言権提供の公平性が保たれる。
【００８３】
そして、グループ通信における携帯無線機、例えば、携帯無線機１００は、送受信部４０１から送信された発言権取得要求受付拒否のメッセージをアンテナ１０１を介して受信する（Ｓ７００４）。
【００８４】
そこで、管理装置４００のタイマー４０４は、時間窓が開かれてからの経過時間を所定の時間Ｔ４と比較し、経過時間がＴ４と等しいときにタイマー４０４が満了したことと決定する（Ｓ７００５）。
【００８５】
そして、ステップＳ２００８に続いて、ステップＳ７００６に進む。管理装置４００では、発言権取得要求受付拒否のための時間窓満了後に、グループ通信における携帯無線機、例えば、携帯無線機２００から送信された発言権取得要求が送受信部４０１によって無線交換網３００を介して最初に受信される（Ｓ７００６）。ここで、制御部４０２は、グループ通信における携帯無線機、例えば、携帯無線機２００を発言権が提供される携帯無線機に決定する。このように、管理装置４００では、送受信部４０１が、発言権取得要求受付拒否のための時間窓満了後に最初に受信された発言権取得要求を送信したグループ通信における携帯無線機、例えば、携帯無線機２００に発言権提供の情報を送信する。即ち、制御部４０２は、放送チャネル開放時から最初の発言権取得要求の受信時までの時間Ｔ１がＴ４より大きいときには、発言権提供の公平性を保つ必要性の度合が低いと判断し、発言権提供の公平性の度合を低め、遅延時間を減少するために、他の発言権取得要求を待つことなく、発言権取得要求受付拒否のための時間窓満了後に最初に受信された発言権取得要求を送信したグループ通信における携帯無線機に発言権提供の情報を送信する。
【００８６】
続いて、ステップＳ２０１３に進む。
【００８７】
以下、図８に示すフロー図を用いて管理装置４００の動作の一例を説明する。
【００８８】
まず、ステップＳ３００１に続いて、ステップＳ８００１に進む。タイマー４０４は、放送チャネル開放時と同時に、制御部４０２からの指示に従って起動し（Ｓ８００１）、制御部４０２により決定された時間Ｔ４の間に発言権取得要求受付拒否のための時間窓を開き続ける。このとき、Ｔ４は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定される。
【００８９】
そして、制御部４０２は、Ｔ４の間にグループ通信における携帯無線機、例えば、携帯無線機１００及び携帯無線機２００からの発言権取得要求があるか否かを判断する（Ｓ８００２）。
【００９０】
そこで、制御部４０２により、Ｔ４の間にグループ通信における携帯無線機、例えば、携帯無線機１００からの発言権取得要求があったと判断された場合（Ｓ８００２：ＹＥＳ）送受信部４０１は、グループ通信における携帯無線機、例えば、携帯無線機１００に対し、無線交換網３００を介して発言権取得要求受付拒否のメッセージを送信する（Ｓ８００３）。このとき、メモリ４０３はその発言権取得要求を記憶しない。これによって、一定度合の発言権提供の公平性が保たれる。一方、制御部４０２により、Ｔ４の間にグループ通信における携帯無線機からの発言権取得要求がなかったと判断された場合（Ｓ８００２：ＮＯ）、ステップＳ８００４に進む。
【００９１】
そして、タイマー４０４は、時間窓が開かれてからの経過時間を所定の時間Ｔ４と比較し、経過時間がＴ４と等しいときにタイマー４０４が満了したことと決定する（Ｓ８００４）。
【００９２】
そこで、制御部４０２は、グループ通信における携帯無線機、例えば、携帯無線機１００又は携帯無線機２００から送信される発言権取得要求の受信を待つ（Ｓ８００５）。
【００９３】
そして、送受信部４０１は、発言権取得要求受付拒否のための時間窓満了後に、グループ通信における携帯無線機、例えば、携帯無線機２００から送信された発言権取得要求を最初に受信した場合（Ｓ８００６）、制御部４０２は、その受信した発言権取得要求を送信したグループ通信における携帯無線機、例えば、携帯無線機２００を発言権が提供される携帯無線機と決定する。このように、送受信部４０１は、発言権取得要求受付拒否のための時間窓満了後に最初に受信された発言権取得要求を送信したグループ通信における携帯無線機、例えば、携帯無線機２００に発言権提供の情報を送信する。即ち、制御部４０２は、放送チャネル開放時から最初の発言権取得要求の受信時までの時間Ｔ１がＴ４より大きいときには、発言権提供の公平性を保つ必要性の度合が低いと判断し、発言権提供の公平性の度合を低め、遅延時間を減少するために、他の発言権取得要求を待つことなく、発言権取得要求受付拒否のための時間窓満了後に最初に受信された発言権取得要求を送信したグループ通信における携帯無線機に発言権提供の情報を送信する。
【００９４】
次に、ステップＳ３０１３に進む。
【００９５】
なお、本発明の実施の形態３において、制御部４０２は、発言権取得要求の送信禁止時間を設定する。そして、送受信部４０１は、グループ通信における携帯無線機に予め発言権取得要求の送信禁止時間の情報を送信し、グループ通信における携帯無線機に、発言権取得要求の送信禁止時間内に管理装置４００に発言権取得要求を送信しないようにしてもよい。
【００９６】
このように、本発明の形態によれば、放送チャネル開放時に発言権取得要求受付拒否の時間窓が開かれるため、実施の形態１のように放送チャネル開放後に受信された最初の発言権取得要求の受信時刻及び発言権取得要求受付拒否のための時間窓内に受信された発言権取得要求を記憶しない。また、Ｔ４は、送受信部４０１がグループ通信における最も大きい信号遅延を生じる携帯無線機に対して放送チャネルが開放された情報を送信し、また、その情報を受信したグループ通信における最も大きい信号遅延を生じる携帯無線機から送信された発言権取得要求を受信するのに必要とする十分な時間に決定する。よって、その時間窓内に受信された発言権取得要求に対し、送受信部４０１は、その発言権取得要求を送信したグループ通信における携帯無線機に無線交換網３００を介して発言権取得要求受付拒否のメッセージを送信し、その携帯無線機に発言権が提供されない。これによって、一定度合の発言権提供の公平性が保たれる。そして、その時間窓満了後に受信された発言権取得要求に対し、即ち、放送チャネル開放時から発言権取得要求の受信時までの時間Ｔ１がＴ４より大きいときには、制御部４０２は、発言権提供の公平性を保つ必要性の度合が低いと判断し、発言権提供の公平性の度合を低め、遅延時間を減少するために、他の発言権取得要求を待つことなく、発言権取得要求受付拒否のための時間窓満了後に最初に受信された発言権取得要求を送信したグループ通信における携帯無線機に発言権提供の情報を送信する。これによって、グループ通信における発言権の公平な提供と遅延時間の短縮とを両立させることができる。また、グループ通信における携帯無線機に予め発言権取得要求の送信禁止時間の情報を送信することによって、管理装置４００では、発言権取得要求受付拒否の時間窓内に受信された発言権取得要求を送信したグループ通信における携帯無線機に対する不要な発言権取得要求受付拒否のメッセージの送信を減らすことができる。
【産業上の利用可能性】
【００９７】
本発明のグループ通信における発言権を提供する装置及びその方法は、発言権の公平な提供と遅延時間の短縮とを両立させる効果を有し、グループ通信における発言権を提供するのに有用である。
【図面の簡単な説明】
【００９８】
【図１】本発明の実施の形態１に係るグループ通信システムの構成を示すブロック図
【図２】本発明の実施の形態１に係る携帯無線機と管理装置の動作の一例を示すシーケンス図
【図３】本発明の実施の形態１に係る管理装置の動作の一例を示すフロー図
【図４】本発明の実施の形態２に係る携帯無線機と管理装置の動作の一例を示すシーケンス図
【図５】本発明の実施の形態２に係る携帯無線機と管理装置の動作の他の例を示すシーケンス図
【図６】本発明の実施の形態２に係る管理装置の動作の一例を示すフロー図
【図７】本発明の実施の形態３に係る携帯無線機と管理装置の動作の一例を示すシーケンス図
【図８】本発明の実施の形態３に係る管理装置の動作の一例を示すフロー図
【符号の説明】
【００９９】
１００、２００  携帯無線機
３００  無線交換網
４００  管理装置
４０１  送受信部
４０２  制御部
４０３  メモリ
４０４  タイマー
【図１】
2007006424.tif 000003
【図２】
2007006424.tif 000004
【図３】
2007006424.tif 000005
【図４】
2007006424.tif 000006
【図５】
2007006424.tif 000007
【図６】
2007006424.tif 000008
【図７】
2007006424.tif 000009
【図８】
2007006424.tif 000010